(57)【要約】【課題】カチオン界面活性剤が含まれる一般的な洗濯仕上剤のｐＨを下げようすると、洗濯仕上剤の粘度が高くなり、作業性が悪化するという問題があった。また、業務用洗濯機では、洗濯仕上剤をポンプにより槽内に供給する場合が多いため、洗濯仕上剤の粘度が高いとポンプへの負荷が増大することになるという問題もあった。そこで、粘度の増加を抑えながらｐＨを低くした洗濯仕上剤、および当該洗濯仕上剤を用いた洗濯方法を提供する。【解決手段】洗濯仕上剤は、トリアルカノールアミン脂肪酸エステルの４級化物（Ｘ）と、ポリカルボン酸（Ｙ）とを含む。好ましくは、上記洗濯仕上剤は、ｐＨ１〜３である。好ましくは、上記洗濯仕上剤は、ｐＨ１０〜１１の洗浄水が用いられる業務用洗濯機用洗濯仕上剤である。【選択図】なし【特許請求の範囲】
【請求項１】
トリアルカノールアミン脂肪酸エステルの４級化物（Ｘ）と、ポリカルボン酸（Ｙ）とを含む、洗濯仕上剤。
【請求項２】
ｐＨが１〜３である、請求項１に記載の洗濯仕上剤。
【請求項３】
ｐＨ１０〜１１の洗浄水が用いられる業務用洗濯機用洗濯仕上剤である、請求項１または２に記載の洗濯仕上剤。
【請求項４】
ｐＨ１０〜１１の洗浄水を用いる洗濯工程と、
トリアルカノールアミン脂肪酸エステルの４級化物（Ｘ）およびポリカルボン酸（Ｙ）を含む洗濯仕上剤を用いる仕上工程とを含む、洗濯方法。
【発明の詳細な説明】
【技術分野】
【０００１】
本発明は、洗濯仕上剤および洗濯方法に関する。
【背景技術】
【０００２】
各種洗濯機を用いて洗濯する場合、一般に、洗濯工程、すすぎ工程、仕上工程の順番で各工程が行われる（特許文献１）。仕上工程においては、リネンおよび衣類等の被洗物に柔軟性を与える目的で、カチオン界面活性剤を主成分とする洗濯仕上剤が用いられる（特許文献２）。
【先行技術文献】
【特許文献】
【０００３】
【特許文献１】特開２０１０−２１４００２号公報
【特許文献２】特開２０１７−８９０６８号公報
【発明の概要】
【発明が解決しようとする課題】
【０００４】
たとえば、洗濯工程においては、被洗物に対してアルカリ性の洗浄水が用いられるため、洗濯工程後に行われるすすぎ工程および仕上工程においては、被洗物のｐＨを下げる必要がある。
【０００５】
特に、連続式洗濯機等の業務用洗濯機を用いる場合、洗濯工程から、脱水を経ずに、すすぎ工程および仕上工程へ移行することが多い。つまり、被洗物は、洗濯工程で用いられた洗浄水を多量に含んだ状態で次の工程へと運ばれる。また、業務用洗濯機では、一般家庭で使用されないようなｐＨが高い洗浄水が用いられる。したがって、被洗物のｐＨを十分に下げるという観点から、洗濯仕上剤のｐＨは、家庭で使用されるものよりも十分低いことが好ましい。
【０００６】
しかしながら、カチオン界面活性剤が含まれる一般的な洗濯仕上剤のｐＨを下げようすると、洗濯仕上剤の粘度が高くなり、作業性が悪化するという問題があった。また、業務用洗濯機では、洗濯仕上剤をポンプにより槽内に供給する場合が多いため、洗濯仕上剤の粘度が高いとポンプへの負荷が増大することになるという問題もあった。
【０００７】
この発明は、上述の課題を解決するためになされたもので、その目的は、粘度の増加を抑えながらｐＨを低くした洗濯仕上剤、および当該洗濯仕上剤を用いた洗濯方法を提供することである。
【課題を解決するための手段】
【０００８】
本発明の発明者らは、上記課題を解決すべく鋭意検討を重ねた結果、ある種の材料を用いることにより上記課題を解決できることを見いだし、本発明を完成させるに至った。
【０００９】
すなわち、本発明の洗濯仕上剤は、トリアルカノールアミン脂肪酸エステルの４級化物（Ｘ）と、ポリカルボン酸化合物（Ｙ）とを含む。
【発明の効果】
【００１０】
本発明により、洗濯仕上剤の粘度の増加を抑えながらｐＨを低くすることができる。
【発明を実施するための形態】
【００１１】
最初に、本発明の実施形態の内容を列記する。
【００１２】
（１）本発明の実施の形態に係る洗濯仕上剤は、トリアルカノールアミン脂肪酸エステルの４級化物（Ｘ）と、ポリカルボン酸（Ｙ）とを含む。このような構成により、ｐＨが低く、かつ粘度も低い洗濯仕上剤とすることができる。
【００１３】
（２）好ましくは、上記洗濯仕上剤は、ｐＨ１〜３である。このような構成により、被洗物のｐＨを容易に下げることができる。
【００１４】
（３）好ましくは、上記洗濯仕上剤は、ｐＨ１０〜１１の洗浄水が用いられる業務用洗濯機用洗濯仕上剤である。このような構成により、クリーニング事業者が業務用洗濯機を用いて洗濯を行う場合のように高ｐＨの洗浄水が用いられる状況において、被洗物を好適なｐＨに仕上げることができる。
【００１５】
（４）本発明の実施の形態に係る洗濯方法は、ｐＨ１０〜１１の洗浄水を用いる洗濯工程と、トリアルカノールアミン脂肪酸エステルの４級化物（Ｘ）およびポリカルボン酸（Ｙ）を含む洗濯仕上剤を用いる仕上工程とを含む。このような方法により、クリーニング事業者が業務用洗濯機を用いて洗濯を行う場合のように高ｐＨの洗浄水が用いられる状況において、被洗物を好適なｐＨに仕上げることができる。
【００１６】
以下、本発明の実施の形態について詳細に説明する。
【００１７】
本実施の形態における洗濯仕上剤は、トリアルカノールアミン脂肪酸エステルの４級化物（Ｘ）と、ポリカルボン酸（Ｙ）とを含む。
【００１８】
トリアルカノールアミン脂肪酸エステルの４級化物（Ｘ）は、たとえば、トリアルカノールアミンと脂肪酸とのエステルをアルキル化剤で４級化することにより得られる。
【００１９】
トリアルカノールアミンとしては、特に限定されないが、トリエタノールアミン、トリイソプロパノールアミン、トリ（２−ブタノール）アミン、トリ（ｔ−ブタノール）アミン等を挙げることができる。トリアルカノールアミンとしては、洗濯仕上剤のｐＨを下げた場合でも粘度を抑える観点から、トリエタノールアミンが好ましい。
【００２０】
脂肪酸としては、特に限定されないが、炭素数１０〜２６の飽和脂肪酸、または炭素数１０〜２２の不飽和脂肪酸が好ましい。
【００２１】
炭素数１０〜２６の飽和脂肪酸としては、例えば、デカン酸(カプリン酸)などの炭素数１０の飽和脂肪酸、ドデカン酸（ラウリン酸）などの炭素数１２の飽和脂肪酸、トリデカン酸などの炭素数１３の飽和脂肪酸、テトラデカン酸（ミリスチン酸）などの炭素数１４の飽和脂肪酸、ペンタデカン酸（ペンタデシル酸）などの炭素数１５の不和脂肪酸、ヘキサデカン酸（パルミチン酸）などの炭素数１６の飽和脂肪酸、ヘプタデカン酸（マルガリン酸）などの炭素数１７の飽和脂肪酸、オクタデカン酸（ステアリン酸）などの炭素数１８の飽和脂肪酸、ノナデカン酸などの炭素数１９の飽和脂肪酸、エイコサン酸（アラキジン酸）などの炭素数２０の飽和脂肪酸、ドコサン酸（ベヘン酸）などの炭素数２２の飽和脂肪酸、テトラコサン酸（リグノセリン酸）などの炭素数２４の飽和脂肪酸、ヘキサコサン酸（セロチン酸）などの炭素数２６の飽和脂肪酸が挙げられる。洗濯仕上剤のｐＨを下げた場合でも粘度を抑える観点から、これらのうち、特に、炭素数１０〜２０の飽和脂肪酸が好ましい。
【００２２】
炭素数１２〜２２である不飽和脂肪酸としては、例えば、ドデセン酸などの炭素数１２の不飽和脂肪酸、トリデセン酸などの炭素数１３の不飽和脂肪酸、テトラデセン酸などの炭素数１４の不飽和脂肪酸、ペンタデセン酸などの炭素数１５の不飽和脂肪酸、ヘキサデセン酸（パルミトレイン酸など）などの炭素数１６の不飽和脂肪酸、ヘプタデセン酸などの炭素数１７の不飽和脂肪酸、オクタデセン酸（オレイン酸、バクセン酸など）、オクタデカジエン酸（リノール酸など）、オクタデカトリエン酸（（９，１２，１５）−リノレン酸、６，９，１２）−リノレン酸、エレオステアリン酸など）などの炭素数１８の不飽和脂肪酸、ノナデセン酸などの炭素数１９の不飽和脂肪酸、エイコサジエン酸（８,１１−エイコサジエン酸など）、エイコサトリエン酸（５,８,１１−エイコサトリエン酸など）、エイコサテトラエン酸（アラキドン酸など）などの炭素数２０の不飽和脂肪酸が挙げられる。洗濯仕上剤のｐＨを下げた場合でも粘度を抑える観点から、これらのうち、特に、炭素数１６〜１８の不飽和脂肪酸が好ましい。
【００２３】
アルキル化剤としては、特に限定されないが、塩化メチル、塩化エチル、臭化メチル、ヨウ化メチルなどのハロゲン化アルキル、および、ジメチル硫酸、ジエチル硫酸、ジーｎ−プロピル硫酸などのアルキル硫酸等、一般的なアルキル化剤が挙げられる。アルキル化剤としては、洗濯仕上剤のｐＨを下げた場合でも粘度を抑える観点から、ジメチル硫酸が好ましい。
【００２４】
ポリカルボン酸（Ｙ）としては、特に限定されないが、コハク酸、アジピン酸、セバシン酸、ドデカンジカルボン酸、アゼライン酸、クエン酸、リンゴ酸およびアガリシン酸等を挙げることができる。ポリカルボン酸（Ｙ）としては、洗濯仕上剤のｐＨを下げた場合でも粘度を抑える観点から、クエン酸またはリンゴ酸が好ましい。
【００２５】
トリアルカノールアミン脂肪酸エステルの４級化物（Ｘ）は、洗濯仕上剤のｐＨを下げた場合でも粘度を抑える観点から、下記一般式（１）で示される化合物および下記般式（２）で示される化合物からなる群から選択された少なくとも１種の化合物を含むことが特に好ましい。
【００２６】
【化１】
2019060055.tif 000002
【００２７】
【化２】
2019060055.tif 000003
【００２８】
ただし、一般式（１）中、Ｒ１は、炭素数１６〜１８の飽和炭化水素基または炭素数１８の不飽和炭化水素基を示す。
【００２９】
また、一般式（２）中、Ｒ２は、炭素数１０〜２０の飽和炭化水素基または炭素数１６〜１８の不飽和炭化水素基を示す。一般式（２）中の各Ｒ２は、互いに異なっていてもよいし、同一でもよい。
【００３０】
本実施の形態における洗濯仕上剤は、洗濯仕上剤のｐＨを下げた場合でも粘度を抑える観点から、洗濯仕上剤１００質量部に対して、トリアルカノールアミン脂肪酸エステルの４級化物（Ｘ）を５〜２５質量部含むことが好ましく、８〜２０質量部含むことがより好ましく、８〜１５質量部含むことがさらに好ましい。
【００３１】
本実施の形態における洗濯仕上剤に含まれる、トリアルカノールアミン脂肪酸エステルの４級化物（Ｘ）とポリカルボン酸（Ｙ）との質量比（（Ｘ）/（Ｙ））は、洗濯仕上剤のｐＨを下げた場合でも粘度を抑える観点から、０．１〜５が好ましく、０．２〜４がより好ましく、０．３〜３．５がさらに好ましい。
【００３２】
本実施の形態における洗濯仕上剤には、シリコーン化合物等の繊維潤滑剤、抗菌剤、香料および消泡剤等、一般的な洗濯仕上剤に添加される種々の材料を加えることができる。
【００３３】
本発明の実施の形態に係る洗濯仕上剤は、高いｐＨの洗浄水で洗濯工程を行う業務用洗濯機において用いられることが好ましく、連続式洗濯機において用いられることがより好ましい。
【００３４】
連続式洗濯機では、洗濯工程、すすぎ工程および仕上工程がこの順番で行われ、その後、脱水機による被洗物の脱水が行われる。洗濯工程は、たとえば予洗工程および本洗工程を含む。
【００３５】
連続式洗濯機は、たとえば１列に並んだ複数の槽（ここでは第１槽から第１３槽）を含み、各工程は、これら複数の槽を順番に用いて行われる。具体的には、たとえば、予洗工程では第１槽および第２槽が用いられ、本洗工程では第３槽から第９槽が用いられ、すすぎ工程では第１０槽から第１２槽が用いられ、仕上工程では第１３槽が用いられる。連続式洗濯機に投入された被洗物は、第１槽から順番に隣接する槽へ送られ、各工程を経て、第１３槽に到達する。
【００３６】
本洗工程が行われる槽のいずれかへは、洗剤および漂白剤が投入される。被洗物は、当該洗剤および漂白剤が水によって希釈された液体すなわち洗浄水を用いて洗浄される。当該洗浄水のｐＨは１０〜１１である。当該ｐＨは一般家庭の洗濯機で用いられる洗浄水よりも高い。なお、漂白剤は投入されない構成であっても良い。
【００３７】
すすぎ工程が行われる槽のいずれかへは、新水すなわち水が供給される。また、すすぎ工程が行われる槽へは、被洗物と共に隣接する槽から洗浄水が移動してくる。すすぎ工程により、被洗物に含まれた液体のｐＨは、９〜７へと低下する。つまり、仕上工程を行う第１３槽へは、ｐＨが９〜７の被洗物が移動してくる。
【００３８】
仕上工程が行われる第１３槽へは、本発明の実施の形態に係る洗濯仕上剤が投入される。本発明の実施の形態に係る洗濯仕上剤は、たとえばｐＨが１〜３である。これにより、第１３槽中の液体のｐＨを人肌のｐＨに近い６〜７に容易に調整することができる。
【００３９】
なお、ここでは、第１３槽へと移動してくる被洗物のｐＨは、９〜７であるとしたが、より高くてもよい。
【００４０】
＜実施例＞
以下、実施例および比較例に基づいて、本実施の形態の洗濯仕上剤についてより詳細に説明する。本発明はこれによって制限されるものではない。なお、本明細書中に於ける「部」、「％」は、特に明示した場合を除き、「質量部」、「質量％」をそれぞれ表している。
【００４１】
実施例および比較例において使用する材料を示す。
カチオン界面活性剤
トリアルカノールアミン脂肪酸エステルの４級化物（Ｘ）
・トリエタノールアミン脂肪酸エステルの４級化物（Ｘ−１）
（商品名：ＲＥＷＯＱＵＡＴ  ＷＥ２８  ＳＨ、ＥＶＯＮＩＫ社製、上記一般式（２）の化合物）
・トリエタノールアミン脂肪酸エステルの４級化物（Ｘ−２）
（商品名：ＲＥＷＯＱＵＡＴ  ＷＥ２８  Ｅ  ＵＳ、ＥＶＯＮＩＫ社製、上記一般式（１）の化合物）
他のカチオン界面活性剤（Ａ）
・ジステアリルジメチルアンモニウムクロライド（Ａ−１）
（商品名：コータミンＤ８６Ｐ  花王社製）
・トリオキシエチレンメチルアンモニウム塩メチルサルフェート
（商品名：ライオンソフターＥＱ、ライオン社製）（Ａ−２）
・ステアリン酸ジメチルアミノプロピルアミド（Ａ−３）
（商品名：パルナーＳＤＰＡ−４Ｂ、ミヨシ油脂社製）
ポリカルボン酸（Ｙ）
・クエン酸酸（Ｙ−１）
・リンゴ酸（Ｙ−２）
【００４２】
表１は、実施例１〜８および比較例１〜３の洗濯仕上剤各々ついての、製造に用いる各材料ならびにそれらの配合量（数値は質量部）と、ｐＨと、各評価の結果とを示す。
【００４３】
（洗濯仕上剤の製造）
表１に記載の材料を６０℃でカチオン界面活性剤が完全に溶解するまで混合する。このようにして製造した洗濯仕上剤を用いて、粘度および消泡力について評価を行う。
【００４４】
（粘度）
粘度の測定は、２０℃に調整した洗濯仕上剤を、ＢＭ型粘度計（ローターＮｏ．２、回転数６０ｒｐｍ）を使用してＪＩＳ  Ｚ８８０３に従い測定した。
【００４５】
（消泡力）  消泡力は、起泡性の液体の泡立ちを抑える程度を示す指標である。消泡力は、以下の手順で測定する。すなわち、非イオン界面活性剤ノイゲンＬＰ−１８０（第一工業製薬製）０．１ｇを１００ｍｌ４０℃の水で溶解し、５００ｍｌメスシリンダーに泡立たないように静かに注ぎ入れる。次に当該メスシリンダーに洗濯仕上剤０．０５ｇを入れる。次に、エアーポンプおよびデフューザーストーンを用いて、当該メスシリンダー中の液体に３０秒間空気を送り、当該液体を泡立たせることを試みる。次に、エアーポンプをOFFにし、直後の泡の量を測る。具体的には、泡の量は、メスシリンダーにおける泡の上端付近の目盛りと泡の下端付近の目盛りに基づいて計測する。洗濯仕上剤としては、被洗物の取り扱い性の観点から、消泡力が高いほど、すなわち泡の量が少ないほど好ましい。評価基準を次に示す。
A：泡の量が１００ml以下
B：泡の量が１００mlを超えて３００ｍｌ以下
C：泡の量が３００ｍｌを超えている
【００４６】
表１から明らかなように、実施例１〜８の洗濯仕上剤は、比較例２，３と比べて、ｐＨが低いにもかかわらず粘度が低いことが分かる。また、実施例１〜８の洗濯仕上剤は、比較例１と比べて、ｐＨが低く、消泡力も高いことが分かる。
【００４７】
【表１】
2019060055.tif 000004